(57)【要約】【課題】  読み取った画像情報において、原稿の修正痕等をその背景色と容易に識別し得る画像読取装置を提供することにある。【解決手段】  この画像読取装置１は、原稿の読取面に記録された画像情報を読み取るための装置であって、原稿台３と、画像読取部５と、原稿送りガイド９及び原稿マット１０と、駆動部１１，１２とを備えている。原稿送りガイド９及び原稿マット１０は、原稿台３に対向配置され、原稿を原稿台３側に押圧可能であるとともに、それぞれ白色の第１押圧領域９ａ，１０ａ及び灰色の第２押圧領域９ｂ，１０ｂとを表面に有する。駆動部１１，１２は、原稿の種類に応じて原稿送りガイド９及び原稿マット１０の第１押圧領域９ａ，１０ａ及び第２押圧領域９ｂ，１０ｂを選択的に原稿台３に対向配置可能である。【選択図】      図２
2006235505.tif 000002
【特許請求の範囲】
【請求項１】
原稿の読取面に記録された画像情報を読み取るための画像読取装置であって、
前記原稿の読取面が当接可能な原稿台と、
前記原稿台上の前記原稿の読取面の画像情報を読取可能な原稿読取手段と、
前記原稿台に対向配置され、前記原稿を前記原稿台側に押圧可能であるとともに、第１押圧領域と、前記第１押圧領域より濃度の高い色を呈する第２押圧領域とを表面に有する原稿押圧部材と、
前記原稿の種類に応じて前記原稿押圧部材の第１押圧領域及び第２押圧領域の一方を選択的に前記原稿台に対向配置可能な駆動部と、
を備えた画像読取装置。
【請求項２】
前記原稿台は、前記原稿の読取面の全領域が当接可能な第１読取領域を有し、
前記原稿押圧部材は、循環駆動される環状のベルト部材を有し、前記ベルト部材は、第１押圧領域と、前記第１押圧領域と異なる周方向位置の第２押圧領域とを外周面に有し、
前記駆動部は、前記ベルト部材を循環駆動させて、前記ベルト部材の第１押圧領域及び第２押圧領域の一方を選択的に前記原稿台の第１読取領域に対向配置可能である、
請求項１に記載の画像読取装置。
【請求項３】
前記原稿台は、前記原稿の読取面の主走査方向の全領域及び副走査方向の一部領域が当接可能な第２読取領域を有し、
前記原稿押圧部材は、揺動方向に揺動可能な揺動部材を有し、前記揺動部材は、第１押圧領域と、前記第１押圧領域と異なる揺動方向位置の第２押圧領域とを表面に有し、
前記駆動部は、前記揺動部材を揺動させて、前記揺動部材の第１押圧領域及び第２押圧領域の一方を選択的に前記原稿台の第２読取領域に対向配置可能である、
請求項１に記載の画像読取装置。
【請求項４】
前記原稿押圧部材の第１押圧領域を前記原稿台に対向配置させるための第１読取モードと、前記原稿押圧部材の第２押圧領域を前記原稿台に対向配置させるための第２読取モードとを切り替え可能なモード切替手段をさらに備え、
前記駆動部は、前記モード切替手段により切り替えられたモードに従って、前記原稿押圧部材を駆動する、
請求項１から３のいずれか１項に記載の画像読取装置。
【請求項５】
請求項１から４のいずれか１項に記載の画像読取装置と、
前記画像読取装置で読み取られた前記原稿の画像情報を基に転写材に対し画像形成可能な画像形成手段と、
を備えた画像形成装置。
【発明の詳細な説明】
【技術分野】
【０００１】
本発明は、画像読取装置、特に、原稿の読取面に記録された画像情報を読み取るための画像読取装置に関する。
【０００２】
又、本発明は、そのような画像読取装置を備えた画像形成装置に関する。
【背景技術】
【０００３】
スキャナ装置や複写機のように、原稿の読み取り機能を有する画像形成装置は、原稿の読取面が当接して配置される原稿台を有するとともに、原稿台に対向して配置される原稿押圧部材を有している。
【０００４】
原稿押圧部材は、原稿を原稿台側に押圧可能であるとともに、シェーディング補正の際の基準色となるべく白色又は淡黄色等の色を呈するよう構成されている。
【０００５】
関連する技術として、例えば、特許文献１乃至３に示されるものが既に提案されている。
【０００６】
ところで、２００５年４月に施行される「民間事業者等が行う書面の保存等における情報通信の技術の利用に関する法律」（以下、e-文書法という）によれば、低額の領収書のような税務関係書類については、スキャナ装置等により読み取って電子化されたものを原本として扱える旨の規定があるが、読み取りに際して満たすべき技術的要件として、例えば、修正液による修正痕等を用紙の背景色と識別し得る程度に読み取れることが挙げられる。
【特許文献１】特開２００２−２７１５７６号公報
【特許文献２】特開平８−２２１５５９号公報
【特許文献３】特開平９−１８６５４号公報
【発明の開示】
【発明が解決しようとする課題】
【０００７】
しかしながら、従来のスキャナ装置等で、修正痕のある書類を読み取ると、原稿押圧部材が白色等の色で構成されていることから、用紙の背景色との区別がし辛くなり、e-文書法に従った電子化が困難である。
【０００８】
本発明の課題は、読み取った画像情報において、原稿の修正痕等をその背景色と容易に識別し得る画像読取装置を提供することにある。
【０００９】
又、本発明の課題は、そのような画像読取装置を備えた画像形成装置を提供することにある。
【課題を解決するための手段】
【００１０】
請求項１に係る画像読取装置は、原稿の読取面に記録された画像情報を読み取るための装置であって、原稿台と、原稿読取手段と、原稿押圧部材と、駆動部とを備えている。原稿台は、原稿の読取面が当接可能である。原稿読取手段は、原稿台上の原稿の読取面の画像情報を読取可能である。原稿押圧部材は、原稿台に対向配置され、原稿を原稿台側に押圧可能であるとともに、第１押圧領域と、第１押圧領域より濃度の高い色を呈する第２押圧領域とを表面に有する。駆動部は、原稿の種類に応じて原稿押圧部材の第１押圧領域及び第２押圧領域の一方を選択的に原稿台に対向配置可能である。
【００１１】
この装置では、原稿押圧部材は、原稿の種類に応じて、第１押圧領域及び第２押圧領域のいずれかが原稿台に対向配置されるよう駆動され、例えば、通常の読み取りを行う場合は、第１押圧領域を原稿台に対し対向配置させ、修正痕等を原稿の背景色と識別したい場合は、第２押圧領域を原稿台に対し対向配置させることができる。
【００１２】
そして、第２押圧領域は、第１押圧領域に比べ濃度が高い色を呈するので、修正痕等の識別が容易になる。したがって、例えばe-文書法に従った電子化にも対応可能することができる。
【００１３】
なお、本発明において、押圧という場合は、原稿台と原稿押圧部材が接する必要はなく、原稿台と原稿押圧部材との間に原稿が通過可能な隙間が形成される場合も含まれる。
【００１４】
また、色には、白黒も含まれ、例えば、第１押圧領域が白色でかつ第２押圧領域が灰色に構成された場合も含まれる。
【００１５】
請求項２に係る画像読取装置は、請求項１の装置において、原稿台は、原稿の読取面の全領域が当接可能な第１読取領域を有している。また、原稿押圧部材は、循環駆動される環状のベルト部材を有し、ベルト部材は、第１押圧領域と、第１押圧領域と異なる周方向位置の第２押圧領域とを外周面に有している。そして、駆動部は、ベルト部材を循環駆動させて、ベルト部材の第１押圧領域及び第２押圧領域の一方を選択的に原稿台の第１読取領域に対向配置可能である。
【００１６】
この装置では、原稿台の第１読取領域に対して、２つの押圧領域の一方を選択的に対向配置可能であるが、ここでは、２つの押圧領域は、１つのベルト部材の外周面に設けられているため、ベルト状部材を循環駆動させることで、容易に切り替えることができる。
【００１７】
請求項３に係る画像読取装置は、請求項１の装置において、原稿台は、原稿の読取面の主走査方向の全領域及び副走査方向の一部領域が当接可能な第２読取領域を有している。また、原稿押圧部材は、揺動方向に揺動可能な揺動部材を有し、揺動部材は、第１押圧領域と、第１押圧領域と異なる揺動方向位置の第２押圧領域とを表面に有している。そして、駆動部は、揺動部材を揺動させて、揺動部材の第１押圧領域及び第２押圧領域の一方を選択的に原稿台の第２読取領域に対向配置可能である。
【００１８】
この装置では、原稿台の第２読取領域に対して、２つの押圧領域の一方を選択的に対向配置可能であるが、ここでは、２つの押圧領域は、１つの揺動部材の表面に設けられているため、揺動部材を揺動させることで、容易に切り替えることができる。
【００１９】
請求項４に係る画像読取装置は、請求項１から３のいずれか１項の装置において、原稿押圧部材の第１押圧領域を原稿台に対向配置させるための第１読取モードと、原稿押圧部材の第２押圧領域を原稿台に対向配置させるための第２読取モードとを切り替え可能なモード切替手段をさらに備えている。そして、駆動部は、モード切替手段により切り替えられたモードに従って、原稿押圧部材を駆動する。
【００２０】
この装置では、通常の読取を行う場合は第１読取モードに、修正痕等の識別を容易にする読取を行う場合は第２読取モードにそれぞれ予め設定できるので、ユーザーは、原稿の種類に応じて２つの押圧領域の切り替えを確実に行える。
【００２１】
請求項５に係る画像形成装置は、請求項１から４のいずれか１項に記載の画像読取装置と、画像形成手段とを備えている。画像形成手段は、画像読取装置で読み取られた原稿の画像情報を基に転写材に対し画像形成可能である。
【００２２】
この装置では、請求項１乃至４の画像読取装置を備えたことで、修正痕等の識別を容易にする読み取りを行える。
【００２３】
なお、転写材には、用紙のみでなく、ＯＨＰシート等の他のシート状記録媒体も含まれる。
【発明の効果】
【００２４】
本発明によれば、第２押圧領域は、第１押圧領域に比べ濃度が高い色を呈するので、修正痕等の識別が容易になる。したがって、例えばe-文書法に従った電子化にも対応可能することができる。
【発明を実施するための最良の形態】
【００２５】
＜画像形成装置の構成＞
図１乃至図３に、本発明の一実施形態が採用された画像形成装置１を示す。
【００２６】
この画像読取装置１は、複写機、プリンタ、ファクシミリ装置及びスキャナ装置としての機能を併有する複合機であって、原稿台３と、画像読取部５（原稿読取手段）と、自動原稿給紙装置（以下、ＡＤＦ）７と、原稿送りガイド９（揺動部材）及び原稿マット１０（ベルト部材）（共に原稿押圧部材）と、第１駆動部１１及び第２駆動部１２と、操作パネル１３（モード切替手段）と、画像形成部１５（画像形成手段）と、コントローラ１７と、他の入出力部とを備えている。
【００２７】
原稿台３は、本体部１ａの上面部分に形成され、原稿の読取面の主走査方向の全領域及び副走査方向の一部領域が当接可能なコンタクトガラス３ａ（第１読取領域）と、原稿の読取面の全領域が当接可能なプラテンガラス３ｂ（第２読取領域）とを有している。
【００２８】
画像読取部５は、原稿台３上の原稿の読取面に記録された画像情報を読み取るためのものであり、ＣＣＤセンサ５ａ、光学系５ｂ等を有している。
【００２９】
ＡＤＦ７は、原稿を１枚ずつ連続的にコンタクトガラス３ａに向けて給紙するためのものであり、原稿台３に対し開閉自在に本体部１ａに装着されている。ＡＤＦ７は、原稿の搬送経路となる搬送路７ａと、原稿送りガイド９が装着される揺動軸７ｂとを有している。搬送路７ａの途中には、原稿送りガイド９の表面が配置される。
【００３０】
原稿送りガイド９は、原稿をコンタクトガラス３ａ側に案内するための部材であり、ＡＤＦ７内の揺動軸７ｂ回りに揺動自在に装着されている。そして、原稿送りガイド９は、図４に示すように、断面視略扇形の形状を有し、その外周部分は、周方向に分割された４つの面を有している。これらの４つの面の揺動方向一方側の２つの面は、第１押圧領域９ａであり、白色を呈するよう構成されている。一方、第１押圧領域９ａに隣接する揺動方向他方側の２つの面は、第２押圧領域９ｂであり、灰色を呈するよう構成されている。
【００３１】
原稿マット１０は、原稿をプラテンガラス３ｂに対して押圧するたのベルト状部材であり、ＡＤＦ７の底面部分に配置されている。原稿マット１０は、図５に示すように、その外周面に第１押圧領域１０ａ及び第２押圧領域１０ｂを有しており、これら２つの領域１０ａ，１０ｂは、原稿マット１０を周方向に２分割して設けられている。
【００３２】
第１及び第２駆動部１１，１２はそれぞれ、原稿送りガイド９及び原稿マット１０を駆動させるためのものであり、共にＡＤＦ７内に配置されている。
【００３３】
第１駆動部１１は、原稿送りガイド９を揺動させるためのソレノイド等を有し、後述する通常スキャンモード（第１読取モード）では、第１押圧領域９ａをコンタクトガラス３ａに対向配置させるとともに、後述する特殊スキャンモード（第２読取モード）では、第２押圧領域９ｂをコンタクトガラス３ａに対向配置させることができる。
【００３４】
第２駆動部１２は、原稿マット１０を循環駆動させるためのモータ等を有し、通常スキャンモードでは、第１押圧領域１０ａをプラテンガラスに対向配置させるとともに、特殊スキャンモードでは、第２押圧領域１０ｂをプラテンガラス３ｂに対向配置させることができる。
【００３５】
操作パネル１３は、複数の操作キー１３ａと、タッチパネル式の液晶ディスプレイで構成された表示部１３ｂとを有している。操作キー１３ａには、コピー、スキャン等を指示するためのスタートキー等が含まれる。表示部１３ｂには、種々の操作画面が表示され、これらの操作画面には、待機画面のほか、モード切替を指示するための設定画面が含まれる。この設定画面では、通常スキャンモード及び特殊スキャンモードを切り替えて設定することができる。通常スキャンモードは、通常の原稿読取のためのモードであり、特殊スキャンモードは、e-文書法の規定を満たす電子化データ（ここでは、TIFF又はPDFのファイル形式）を作成するためのモードである。
【００３６】
画像形成部１５は、画像読取部５で読み取られた画像情報を基に用紙に画像形成を行うためのものであり、感光体ドラムと、感光体ドラムの周囲に配置された帯電装置、露光装置、現像装置及び転写装置等と、これらの下流側に配置された定着装置（いずれも図示せず）とを有している。
【００３７】
コントローラ１７は、画像読取部５、画像形成部１５等の入出力部の制御や、画像家制御を行うためのものであり、ＣＰＵ及びメモリを含むマイクロコンピュータで構成されている。
【００３８】
メモリには、ＣＰＵに実行させるための種々のプログラムデータが格納され、例えば、第１駆動部１１のソレノイド及び第２駆動部１２のモータを駆動させるためのドライバが含まれる。また、メモリには、ＣＣＤセンサ５ａからの画像情報が蓄積される。
【００３９】
コントローラ１７は、ここでは特に、操作パネル１３で選択されたモードに応じて、第１及び第２駆動部１１，１２を駆動させることができる。
【００４０】
画像形成装置１は、他の入出力部として、図示しない通信部、給紙部、排紙部等をさらに備えている。
【００４１】
＜画像形成装置の動作＞
次に、図６に基づいて、画像形成装置１の動作について説明する。
【００４２】
この画像形成装置１のＡＤＦ７から原稿を給紙して読み取りを行わせる場合は、まず、操作パネル１３において、いずれのモードで読み取りを行わせるかを選択する（Ｓ１）。ここでは、通常の読取を行う場合は、通常スキャンモードを設定し、e-文書対応の電子化データを作成したい場合は、特殊スキャンモードを設定する。
【００４３】
すると、いずれのモードによる読取であるかが判断され（Ｓ２）、通常スキャンモードである場合は、原稿送りガイド９は、第１押圧領域９ａがコンタクトガラス３ａに対向するよう揺動されるとともに（Ｓ３）、特殊スキャンモードである場合は、第２押圧領域９ｂがコンタクトガラス３ａに対向配置されるよう揺動される（Ｓ４）。
【００４４】
これにより、各モードでの読み取りが可能な状態となり、スタートキーが押されることで、各モードでのスキャンが開始される。
【００４５】
一方、プラテンガラス３ｂ上に載置した原稿の読み取りを行わせる場合も、上記と同様に、まず、モードの選択を行う（Ｓ１）。
【００４６】
すると、いずれのモードが選択されたか判断され（Ｓ２）、通常スキャンモードである場合は、原稿マット１０は、第１押圧領域１０ａがプラテンガラス３ｂに対向するよう循環駆動されるとともに（Ｓ３）、特殊スキャンモードである場合は、第２押圧領域１０ｂがプラテンガラス１０ａに対向配置されるよう循環駆動される（Ｓ４）。
【００４７】
これにより、各モードでの読み取りが可能な状態となり、スタートキーが押されることで、各モードでのスキャンが開始される。
【００４８】
以上の画像形成装置１によれば、第２押圧領域は、第１押圧領域に比べ濃度が高い色を呈するので、修正痕等の識別が容易になる。例えばe-文書法に従った電子化にも対応可能することができる。
【００４９】
＜他の実施形態＞
（ａ）原稿押圧部材の第１押圧領域と第２押圧領域の色は、白と灰色に限定されるものではなく、第２押圧領域の方が第１押圧領域よりも濃い色を呈するものであれば、他の組み合わせも可能である。
【００５０】
（ｂ）本発明は、上記実施形態のように画像形成装置のみでなく、画像形成機能を有しないスキャナ装置（画像読取装置）にも適用可能である。
【図面の簡単な説明】
【００５１】
【図１】本発明の一実施形態が採用された画像形成装置を示す図。
【図２】前記画像形成装置の要部を示す縦断面図。
【図３】前記画像形成装置の構成を示すブロック図。
【図４】前記画像形成装置の原稿送りガイドを示す斜視図。
【図５】前記画像形成装置の原稿マットを示す斜視図。
【図６】前記画像形成装置の動作を説明するためのフローチャート。
【符号の説明】
【００５２】
１  画像形成装置
３  原稿台
３ａ  コンタクトガラス（第１読取領域）
３ｂ  プラテンガラス（第２読取領域）
５  画像読取部（原稿読取手段）
７  ＡＤＦ
９  原稿送りガイド（揺動部材、原稿押圧部材）
９ａ  原稿送りガイドの第１押圧領域
９ｂ  原稿送りガイドの第２押圧領域
１０  原稿マット（ベルト部材、原稿押圧部材）
１０ａ  原稿マットの第１押圧領域
１０ｂ  原稿マットの第２押圧領域
１１  第１駆動部
１２  第２駆動部
１３  操作パネル（モード切替手段）
１５  画像形成部（画像形成手段）
【図１】
2006235505.tif 000003
【図２】
2006235505.tif 000004
【図３】
2006235505.tif 000005
【図４】
2006235505.tif 000006
【図５】
2006235505.tif 000007
【図６】
2006235505.tif 000008